【手続補正書】
【提出日】平成23年6月30日(2011.6.30)
【手続補正１】
【補正対象書類名】特許請求の範囲
【補正対象項目名】全文
【補正方法】変更
【補正の内容】
【特許請求の範囲】
【請求項１】
マグネトロンと、
前記マグネトロンから生成したマイクロ波放射によって励起された際に紫外線光を発光するよう構成された無電極ランプと、
前記無電極ランプによる紫外線光の発光を制御するための電力制御回路と、
を備え、
前記電力制御回路は、
マイクロコントローラと、
前記マグネトロンのための望ましい出力電力に関連する入力電流設定に基づいて、前記マグネトロンへの入力電流を調節するよう構成され、前記マイクロコントローラを有する第一の制御ループと、
前記第一の制御ループと接続し、前記マイクロコントローラを有する第二の制御ループであって、当該マイクロコントローラによって電圧の変化により測定される前記マグネトロンへの入力電力の変化に応じて、当該マグネトロンへの前記入力電流を調節するために、前記第一の制御ループが用いる前記入力電流設定を調節するよう構成された第二の制御ループと、
を有することを特徴とする回路基板を照射するための紫外線ランプ組立体。
【請求項２】
前記第二の制御ループは前記第一の制御ループの前記入力電流設定を定期的に調節することを特徴とする請求項１に記載の紫外線ランプ組立体。
【請求項３】
前記第二の制御ループは、
前記マグネトロンへの入力電圧及び入力電流を測定するよう構成された電力測定回路を備えることを特徴とする請求項１に記載の紫外線ランプ組立体。
【請求項４】
前記電力測定回路は、
前記マグネトロンへの前記入力電圧を測定するよう構成された分圧器と、
前記第一の制御ループにおける前記入力電流を感知するよう構成された電流センサーと、
前記分圧器からの入力電圧と前記電流センサーからの入力電流を受け、電力を計算し、計算によって得られた電力に応じて、実質的に一定の入力電力を提供するように前記入力電流を調節する制御機器と、
を含むことを特徴とする請求項３に記載の紫外線ランプ組立体。
【請求項５】
前記分圧器は、ダイオード・ブロックとそれに対応する抵抗器ネットワークを含むポット・アセンブリを含むことを特徴とする請求項４に記載の紫外線ランプ組立体。
【請求項６】
前記第二の制御ループは、前記第一の制御ループにおける前記入力電流を制限する電流制限器をさらに含むことを特徴とする請求項４に記載の紫外線ランプ組立体。
【請求項７】
紫外線ランプ組立体におけるマグネトロンへの入力電力を調整することによって、無電極ランプから発光した紫外線光を制御するための方法であって、
前記マグネトロンのための望ましい出力電力に関連する入力電流設定に基づいて、マイクロコントローラを有する第一の制御ループを用いて当該マグネトロンへの入力電流を調節するステップと、
前記マグネトロンに供給した入力電力を測定するステップと、
前記第一の制御ループに接続され、前記マイクロコントローラを有する第二の制御ループを用いて、測定された前記入力電力に基づいて、前記入力電流設定を調節するとともに、前記マグネトロンへの入力電流を調節するするステップと、
紫外線光を発光するための前記無電極ランプに前記マグネトロンからの前記出力電力を適用するステップと、
を含むことを特徴とする方法。
【請求項８】
前記入力電流設定の調節を制限するステップをさらに含むことを特徴とする請求項７に記載の方法。
【請求項９】
前記入力電力を測定する前記ステップは
分圧器で前記マグネトロンへの入力電圧を測定するステップと、
電流センサーにおける前記入力電流を測定するステップと、
を含むことを特徴とする請求項７に記載の方法。
【請求項１０】
測定した前記入力電圧及び測定した前記入力電流から前記入力電力を算出するステップと、
設定電力を前記入力電力と比較することによって前記入力電流設定の変化を算出するステップと、
をさらに含むことを特徴とする請求項９に記載の方法。
【請求項１１】
紫外線ランプ組立体におけるマグネトロンへの入力電力を調整することによって、無電極ランプから発光した紫外線光を制御するための方法であって、
前記マグネトロンのための望ましい出力電力に関連する入力電流設定に基づいて、当該マグネトロンへの入力電流を調節するステップと、
前記マグネトロンに供給した入力電力を測定するステップと、
を含み、
前記入力電力を測定するステップは、
分圧器で前記マグネトロンへの入力電圧を測定するステップと、
電流センサーにおける前記入力電流を測定するステップと、
を有し、
方法は、さらに、
測定した前記入力電圧及び前記入力電流から前記入力電力を算出するステップと、
設定電力を前記入力電力と比較することによって前記入力電流設定の変化を算出するステップと、
を含み、
前記変化を算出するステップは、
前記設定電力から前記入力電力を減じることによって電力エラーを算出するステップと、
ゼロではない電力エラーに応答して、前記電力エラーに増幅率を乗じた値を前記入力電流設定に加えるステップと、
を有し、
方法は、さらに、
前記入力電流において、算出された前記変化に基づいて、前記入力電流設定を調節するとともに、前記マグネトロンへの前記入力電流を調整するステップと、
紫外線光を発光するための前記無電極ランプに前記マグネトロンからの前記出力電力を適用するステップと、
を含むことを特徴とする方法。
【請求項１２】
紫外線ランプ組立体におけるマグネトロンへの入力電力を調整することによって、無電極ランプから発光した紫外線光を制御するための方法であって、
前記マグネトロンのための望ましい出力電力に関連する入力電流設定に基づいて、当該マグネトロンへの入力電流を調節するステップと、
前記マグネトロンに供給した入力電力を測定するステップと、
を含み、
前記入力電力を測定するステップは、
分圧器で前記マグネトロンへの入力電圧を測定するステップと、
電流センサーにおける前記入力電流を測定するステップと、
を有し、
方法は、さらに、
測定した前記入力電圧及び前記入力電流から前記入力電力を算出するステップと、
設定電力を前記入力電力と比較することによって前記入力電流設定の変化を算出するステップと、
を含み、
前記変化を算出するステップは、
前記設定電力から前記入力電力を減じることによって電力エラーを算出するステップと、
ゼロではない電力エラーに応答して、前記入力電流に、ある比率を乗じるステップと、
を有し、
方法は、さらに、
前記入力電流において、算出された前記変化に基づいて、前記入力電流設定を調節するとともに、前記マグネトロンへの入力電流を調整するステップと、
紫外線光を発光するための前記無電極ランプに前記マグネトロンからの前記出力電力を適用するステップと、
を含むことを特徴とする方法。
【請求項１３】
前記比率は、計算前の比率に、前記設定電力の前記入力電力に対する比を乗じたものであることを特徴とする請求項１２に記載の方法。
【請求項１４】
マグネトロンと、
前記マグネトロンから生成したマイクロ波放射によって励起された際に紫外線光を発光するよう構成された無電極ランプと、
マイクロコントローラ、第一の制御ループ、及び、第二の制御ループを有する電力制御回路であって、前記無電極ランプによる紫外線光の発光を制御するための電力制御回路と、
を備え、
前記電力制御回路は、
前記第一の制御ループにおいて、前記マグネトロンのための望ましい出力電力に関連する入力電流設定に基づき、当該マグネトロンへの入力電流を前記マイクロコントローラによって調整し、
前記第二の制御ループにおいて、前記マグネトロンへの測定入力電力に応答して、当該マグネトロンへの前記入力電流を前記マイクロコントローラによって調整するよう構成されており、
前記マイクロコントローラは、前記第一の制御ループの一部であるとともに、前記第二の制御ループの一部でもあり、
前記第二の制御ループは、前記第一の制御ループに接続されていることを特徴とする回路基板を照射するための紫外線ランプ組立体。